【事件の表示】
　平成１年特許願第１４０７８９号「画像形成装置」拒絶査定に対する審判事件［平成３年１月１０日出願公開、特開平３−５１８４］について、次のとおり審決する。
【結　論】
　本件審判の請求は、成り立たない。
【理　由】
１．本願発明
　本願の請求項１乃至２に係る発明は、平成８年５月２８日付、平成１０年６月２９日付、平成１２年１月１７日付、及び平成１３年３月１３日付の手続補正書により補正された明細書及び図面の記載からみて、その特許請求の範囲の請求項１乃至２に記載されたとおりのものであり、そのうち、請求項１に係る発明は次のとおりのものである。
「１．プリンタエンジン部と、プリンタエンジン部をコントロールするためのプリンタコントロール基板と、プリンタエンジン部とプリンタコントロール基板を収容するプリンタ本体部と、を有する画像形成装置において、前記プリンタ本体部にはプリンタ処理基板実装部が設けられており、このプリンタ処理基板実装部には、プリンタ処理基板と外部インターフェースコネクタを設けたコネクタ取付板とが一体になっており前記プリンタ処理基板実装部から取り出した状態で基板の殆どが露出する基板ユニットがスライドインにより装着されており、前記基板ユニットを装着しビスにより前記プリンタ処理基板実装部に固定した状態では、前記プリンタコントロール基板と前記プリンタ処理基板にそれぞれ設けられたコネクタが繋がっており且つ基板ユニットが前記プリンタ処理基板実装部に設けられた基板ユニット装着用開放部の側壁になっていることを特徴とする画像形成装置。」
　
２．引用例に記載された発明
　これに対して、当審が平成１２年１２月２５日付で通知した拒絶理由通知書において引用した引用例１（特開昭６１−２２２７６３号公報）及び引用例２（実願昭６２−１１６３８号（実開昭６３−１２２９８７号）のマイクロフイルム）には、以下のことが記載されている。
　
［引用例１（特開昭６１−２２２７６３号公報）］
　
(ア)「本発明は、プリンタを制御するコンピユータ等の装置（以下ホストマシンと称する）の機能に対応するよう、印字機能、字体の変更自在なプリンタに関する。」（第１頁左下欄１２〜１５行）、
(イ)「この発明は、第１図の実施例に示すように、印字ヘッド駆動回路４、ＣＲ（キヤリツジ）モータ駆動回路５、ＬＦ（紙送り）モータ駆動回路６、ＭＰＵ７、ＲＡＭ８が実装されている基板２０から分離されたカートリツジ式外装に入つた基板３０から構成されており、基板３０には、印字機能を決定する制御手順が格納されている制御ＲＯＭ９、種々の字体がパターンとして格納されている字体ＲＯＭ１０、ホストマシーンとの通信を行う外部インターフエース１１が実装されている。」（第２頁左上欄１７行〜右上欄６行）、
(ウ)「第３図に示すように、プリンタ本体にはカートリツジ３１を受けるためのカートリツジ受け機構６１が設けてあり、カートリツジの一部又は、全てを格納し、カートリツジ内の基板３０接続部３３を受けることができる。」（第２頁左下欄１２〜１６行）、
(エ)「第４図は、本発明の他の実施例を説明する図である。ここで、４０は、制御プログラム及び字体を格納するＲＯＭである。４１は、ＲＯＭ４０を基板３０に差し込むためのＩＣソケツトである。又、４２は、ＲＯＭ４０を読み出す際に用いられるＩＣである。又、４３は本体側の雌コネクタ４４と係合してカートリツジ３１をプリンタ本体と結合させる雄コネクタである。又、４７の雄コネクタが４８の雌コネクタと係合カートリツジ３１の乗つかる上側の基板４５とその下側にあるプリンタ本体内の基板４６を接続している。又、４９は、インターフエース用コネクタである。又、５０，５１は、プリンタ本体内の基板４６上に設置されたＩＣである。以上に示されるように、カートリツジ３１は、雄コネクタ４３と雌コネクタ４４によって基板４５上に固定され、さらにその基板４５が雄コネクタ４７と雌コネクタ４８によつてプリンタ本体内の基板４６上に固定されるという構成でカートリツッジ３１がプリンタ本体と接続されている。この実施例では、インターフエースをカートリツジ３１内部に持たせずプリンタ本体側に持たせている」（第２頁左下欄２０行〜第３頁左上欄２行）、
(オ)第３図にはカートリツジ３１がプリンタ本体６０の開放部に挿入して格納される様子が示され、また、引用例１記載のプリンタがプリンタ本体内に印字ヘッドを具備していることは明らかである。
　
　これらを対比のためにまとめると、引用例１には次のような発明（以下、「引用発明」という。）が記載されている。
(a) プリンタは、印字ヘッドと、印字ヘッド駆動回路などが実装されている基板２０と、印字ヘッドと基板２０を収容するプリンタ本体とを具備している。
(b) プリンタ本体にカートリツジ受け機構６１が設けられており、このカートリツジ受け機構６１には、雌コネクタ４４を設けた基板４５を有すると共に印字機能を決定する制御手順が格納されたＲＯＭ等が実装された基板４６とが設置されている。
(c) カートリッジ受け機構６１には外部からカートリツジを挿入して格納するための開放部が設けられ、基板２０と前記カートリツジ３１には、前記カートリツジを前記カートリッジ受け機構６１に前記開放部から挿入して格納した際に電気的に接続される雌コネクタ４４と雄コネクタ４３がそれぞれ設けられている。
　
［引用例２（実願昭６２−１１６３８号（実開昭６３−１２２９８７号）のマイクロフイルム）］
　
(ア)「機器ユニットの取付構造」（考案の名称）
(イ)「例えばパソコン等に搭載するフロツピーデイスク装置においては、その駆動機構をユニツト化し、この駆動ユニツトを本体に取付けるようになされているが、従来この駆動ユニツトの取付においては、本体の外筺を外した状態で内部シヤーシに駆動ユニツトを固定するようにしていた。しかし、この方法では製品となつた後の駆動ユニツトの故障の際のサービス時には一旦外筺を外してから駆動ユニットを取外す必要があり、工数がかかる不具合がある。」（第２頁下から３行〜第３頁７行）、
(ウ)「第１図〜第４図は本考案の第１の実施例で、図において（１）は機器ユニツト、例えばフロツピーデイスク駆動装置が内蔵される駆動ユニツトを示し、（２）はそのフロツピーデイスク挿入口、（３）はイジエクトレバーである。また、（４）はこの駆動ユニツト（１）が取付けられる本体（５）はその外筺で、この外筺（５）は本筺体（５ａ）と前面パネル（５ｂ）とにより成り、駆動ユニツト（１）は前面パネル部（５ｂ）の前面に取付けられた挿入口部（６）より外筺（５）内に挿入される。外筺（５）の内部には、挿入口部（６）に対応して取付シヤーシ（７）が水平に配置固定されており、この取付シヤーシ（７）に駆動ユニツト（１）の底面部が固定支持される。即ち取付シヤーシ（７）の所定位置には駆動ユニツト（１）の挿入方向と同方向、即ち前後方向に所要長さの長孔（８）が左右に穿設されており、一方これに対応して駆動ユニツト（１）の底面部には螺子孔（９）を穿設してあり、この螺子孔（９）に、取付シヤーシ（７）の下側から長孔（８）を通して螺子（１０）を螺合することにより、駆動ユニツト（１）は取付シヤーシ（７）に対してその挿入方向と直交する方向に結着固定される如く成される。尚、この駆動ユニツト（１）の固定状態ではその前面部が外筺（５）の前面パネル部（５ｂ）の前面と同一面に収まるように成されている。」（第７頁４行〜第８頁７行）、
(エ)「また、駆動ユニツト（１）の背面部には、駆動ユニツト（１）内の電気回路に接続されるコネクタピン（１４）が突出されており、これに対応して本体（５）側には外筺（５）内の電気回路に接続されるコネクタ（１５）が取付シヤーシ（７）上に配置されている。このコネクタ（１５）は、取付シヤーシ（７）に固着されたコネクタホルダ（１６）によって位置決め固定されており、さらにこのコネクタホルダ（１６）には挿入口部（６）と対向するようにガイド部材（１７）が取付られている。このガイド部材（１７）は、その前部が駆動ユニツト（１）の後端部をその上面部から両側部にかけて保持するようなΠ状に形成され、その内端縁部（１７ａ）は駆動ユナツト（１）が挿入され易いようにテーパー状に形成されている。」（第９頁６〜１９行）
　
　これらをまとめると、引用例２には以下のような技術が記載されている。
(a) 本体（５）の取付シヤーシ（７）に駆動ユニツト（１）を取付けた状態で、駆動ユニツト（１）が挿入口部（６）の前面パネル（５ｂ）として用いられた機器ユニツトの取付構造。
(b) 駆動ユニツト（１）は、取付シヤーシ（７）に螺子（１０）によって固定される。
　
３．対比
　請求項１に係る発明と引用発明とを対比する。
　引用発明の「印字ヘッド」、「印字ヘッド駆動回路などが実装されている基板２０」、「プリンタ本体」、「カートリツジ受け機構６１」、「プリンタ」、「インターフエース用コネクタ４９」、「基板４５」、「印字機能を決定する制御手順が格納されたＲＯＭ等が実装された基板４６」、「挿入して格納」、「雌コネクタ４４及び雄コネクタ４３」は、それぞれ、請求項１に係る発明の「プリンタエンジン部」、「プリンタエンジン部をコントロールするためのプリンタコントロール基板」、「プリンタ本体部」、「プリンタ処理基板実装部」、「画像形成装置」、「外部インターフェースコネクタ」、「コネクタ取付板」、「プリンタ処理基板」、「スライドイン」、「スライドインにより装着した際に電気的に接続されるコネクタ」に相当する。
　また、引用発明の「カートリツジ３１」と請求項１に係る発明の「基板ユニット」は、いずれも、制御用の基板と外部インターフェース用のコネクタとを備えた基板ユニットである点で共通している。
　
　したがって、両者の一致点、相違点は以下のとおりである。
（一致点）
　プリンタエンジン部と、プリンタエンジン部をコントロールするためのプリンタコントロール基板と、プリンタエンジン部とプリンタコントロール基板を収容するプリンタ本体部と、を有する画像形成装置において、前記プリンタ本体部にはプリンタ処理基板実装部が設けられており、このプリンタ処理基板実装部には、プリンタ処理基板と外部インターフェースコネクタとを設けたコネクタ取付板とが一体になっており、基板ユニットがスライドインにより装着されており、前記基板ユニットを装着しビスにより前記プリンタ処理基板実装部に固定した状態では、前記プリンタコントロール基板と前記プリンタ処理基板にそれぞれ設けられたコネクタが繋がっていることを特徴とする画像形成装置。
（相違点１）
　請求項１に係る発明の基板ユニットは、前記プリンタ処理基板実装部に設けられた基板ユニット装着用開放部の側壁になっており、ビスによって固定されているのに対して、引用発明のカートリツジは、格納状態で開放部の側壁として用いられるものか定かでなく、ビスを用いずに取付られている点。
（相違点２）
　請求項１に係る発明の基板ユニットは、プリンタ処理基板実装部から取り出した状態で基板の殆どが露出するものであるのに対して、引用発明のカートリツジは、基板が露出していない点。
　
４．判断
（１）相違点１について
　引用例２には、上述の如く、機器ユニツトの取付構造に関し、本体の取付シヤーシに駆動ユニツトを取付けた状態で駆動ユニツトが挿入口部の前面パネルとして用いられ、取付シヤーシに駆動ユニツトを螺子によって固定することが記載されており、しかも、この引用例２に記載された技術が、フロッピーディスクユニットのみならず一般の機器ユニットの取付構造として適用可能なもであることは明らかであるから、当該公知技術を引用発明のカートリッジの取付構造として採用することは、当業者が容易に考えつくことであり、また、そのようにしたことによる効果も予測される程度のものにすぎない。
　
（２）相違点２について  　
　プリンタ等の画像形成装置において、仕様を変更する際に、コントロール基板そのものを装置から取り出すようにすることは、普通に行われていることである。例えば、この点に関し、引用例１には、「従来のプリンタは、・・・プリンタを制御する制御ＲＯＭ（リードオンリーメモリ）９、印字する字体が格納されている字体ＲＯＭ１０、外部インターフェースが一枚もしくは、数枚の固定基板１２上にあり、これらの内部回路の変更は、基板そのものの変更となり」（第１頁右下欄８〜１９行）と記載されている。
　したがって、引用発明において、基板をカートリッジ容器で覆わず、プリンタ処理基板実装部から取り出した状態で基板の殆どが露出するように構成することは、当業者が容易に考えつくことであり、また、そのようにすれば、基板を覆う容器が不必要となりコストが低減できることは容易に予測できることである。
　
５．むすび
　したがって、本願の請求項１に係る発明は、本願の出願前に頒布された刊行物である引用例１、２に記載された発明に基づいて、当業者が容易に発明をすることができたものであるから、特許法第２９条第２項の規定により特許を受けることができない。
　よって、結論のとおり審決する。